(57)【要約】【課題】系統連系運転における失火の検出精度を向上させることができる制御装置、発電設備、制御方法、及びプログラムを提供する。【解決手段】系統連系運転を行う発電設備のエンジンを制御する制御装置１３は、出力が所定値以下に低下した場合に、ガスカットを行って所定時間の失火予備動作期間に入る失火予備動作処理部１３２と、前記失火予備動作期間中において前記出力が回復せず、且つ、回転数が所定の閾値以上に上昇した場合に、前記ガスカットを解除して負荷遮断時におけるガス量を供給する遮断処理部１３３と、前記失火予備動作期間中において前記出力が回復せず、且つ、前記回転数が前記閾値未満である場合に前記エンジンを停止させるエンジン停止処理部１３４と、を備える。【選択図】図２
2019196763.tif 000002
【特許請求の範囲】
【請求項１】
系統連系運転を行う発電設備のエンジンを制御する制御装置であって、
出力が所定値以下に低下した場合に、ガスカットを行って所定時間の失火予備動作期間に入る失火予備動作処理部と、
前記失火予備動作期間中において前記出力が回復せず、且つ、回転数が所定の閾値以上に上昇した場合に、前記ガスカットを解除して負荷遮断時におけるガス量を供給する遮断処理部と、
前記失火予備動作期間中において前記出力が回復せず、且つ、前記回転数が前記閾値未満である場合に前記エンジンを停止させるエンジン停止処理部と、
を備える制御装置。
【請求項２】
前記失火予備動作期間中において前記出力が回復した場合に、前記ガスカットを解除して平常運転に復帰させる回復処理部を更に備える
請求項１に記載の制御装置。
【請求項３】
系統連系運転を行う発電設備であって、
エンジンと、
前記エンジンを制御する、請求項１又は２に記載の制御装置と、
を備える発電設備。
【請求項４】
系統連系運転を行う発電設備のエンジンを制御する制御方法であって、
出力が所定値以下に低下した場合に、ガスカットを行って所定時間の失火予備動作期間に入る失火予備動作処理ステップと、
前記失火予備動作期間中において前記出力が回復せず、且つ、回転数が所定の閾値以上に上昇した場合に、前記ガスカットを解除して負荷遮断時におけるガス量を供給する遮断処理ステップと、
前記失火予備動作期間中において前記出力が回復せず、且つ、前記回転数が前記閾値未満である場合に前記エンジンを停止させるエンジン停止処理ステップと、
を有する制御方法。
【請求項５】
系統連系運転を行う発電設備のエンジンを制御する制御装置のコンピュータを機能させるプログラムであって、前記コンピュータに、
出力が所定値以下に低下した場合に、ガスカットを行って所定時間の失火予備動作期間に入る失火予備動作処理ステップと、
前記失火予備動作期間中において前記出力が回復せず、且つ、回転数が所定の閾値以上に上昇した場合に、前記ガスカットを解除して負荷遮断時におけるガス量を供給する遮断処理ステップと、
前記失火予備動作期間中において前記出力が回復せず、且つ、前記回転数が前記閾値未満である場合に前記エンジンを停止させるエンジン停止処理ステップと、
を実行させるプログラム。
【発明の詳細な説明】
【技術分野】
【０００１】
本発明は、制御装置、発電設備、制御方法、及びプログラムに関する。
【背景技術】
【０００２】
プラント等には、ガスエンジンを用いた発電設備が設けられている場合がある。このような発電設備として、電力系統に連系（並列）して電力系統に電力を供給する「系統連系運転」を行うものがある。
【０００３】
ここで、ガスエンジンにおいて、供給されたガスが燃焼しない失火が発生する場合がある。ガスエンジンに失火が発生した状態で運転を継続すると、ガスの供給が過剰となり発電設備の機器が破損する可能性がある。このため、ガスエンジンにおいて失火が発生したことを正確に検出する技術が求められている。
例えば特許文献１及び特許文献２には、系統連系運転時に、出力の変動量に基づいて失火の検出を行う方法が記載されている。
【先行技術文献】
【特許文献】
【０００４】
【特許文献１】特開平６−５８１９６号公報
【特許文献２】特開２００７−２７８１０６号公報
【発明の概要】
【発明が解決しようとする課題】
【０００５】
しかしながら、系統連系運転時には、発電設備の出力を計測する電力計から送信された信号にノイズが印加され、一時的に出力が「０ｋＷ」になる等の誤計測が生じる場合がある。
また、例えば停電、電力系統との契約等により、発電設備と電力系統との連系が切断（解列）される場合がある。このとき、発電設備から負荷（電力系統）が遮断されるので、出力が「０ｋＷ」となる。
【０００６】
従来の技術では、このような失火以外の原因による出力の変動と、失火による出力の変動とを区別する手段がなかった。このため、従来の発電設備では、失火の誤検出により運転が停止してしまう等の異常挙動が発生する可能性があった。
【０００７】
本発明は、このような課題に鑑みてなされたものであって、系統連系運転における失火の検出精度を向上させることができる制御装置、発電設備、制御方法、及びプログラムを提供する。
【課題を解決するための手段】
【０００８】
上記課題を解決するため、本発明は以下の手段を採用している。
本発明の第１の態様によれば、系統連系運転を行う発電設備のエンジンを制御する制御装置は、出力が所定値以下に低下した場合に、ガスカットを行って所定時間の失火予備動作期間に入る失火予備動作処理部と、前記失火予備動作期間中において前記出力が回復せず、且つ、回転数が所定の閾値以上に上昇した場合に、前記ガスカットを解除して負荷遮断時におけるガス量を供給する遮断処理部と、前記失火予備動作期間中において前記出力が回復せず、且つ、前記回転数が上記閾値未満である場合に前記エンジンを停止させるエンジン停止処理部と、を備える。
このようにすることで、制御装置は、出力が低下して失火の可能性がある場合は、ガスカットを行うことにより、エンジンへのガス供給が過剰となり発電設備の機器が故障してしまうことを早期に抑制することができる。
また、制御装置は、失火予備動作期間中に回転数及び出力を監視することにより、出力の低下が負荷遮断によるものであるのか、失火によるものであるのかを判別することができるので、系統連系運転における失火の検出精度を向上させることができる。これにより、制御装置は、負荷遮断時はガスカットを解除して発電設備の運転を継続させることができるとともに、失火発生時はエンジンを安全に停止させることができる。
【０００９】
本発明の第２の態様によれば、第１の態様に係る制御装置は、前記失火予備動作期間中において前記出力が回復した場合に、前記ガスカットを解除して平常運転に復帰させる回復処理部を更に備える。
このようにすることで、制御装置は、失火予備動作期間中に出力が回復した場合は、ノイズ等の失火以外の原因による一時的な出力低下であったと判断し、ガスカットを解除して平常運転に復帰させることができる。これにより、制御装置は、出力の低下が失火によるものであるか、失火以外の原因による一時的なものであるかを精度よく判別して、発電設備が誤って停止されることを抑制することができる。また、制御装置は、失火発生の可能性があると判断した時点でガスカットによる失火予備動作を行い、失火ではないと判断できてからガスカットを解除することにより、失火であるか否かが確定するまでの期間においてガスの供給過剰で発電設備の機器が故障してしまうことを抑制することができる。
【００１０】
本発明の第３の態様によれば、系統連系運転を行う発電設備は、エンジンと、前記エンジンを制御する、第１又は第２の態様に記載の制御装置と、を備える。
【００１１】
本発明の第４の態様によれば、系統連系運転を行う発電設備のエンジンを制御する制御方法は、出力が所定値以下に低下した場合に、ガスカットを行って所定時間の失火予備動作期間に入る失火予備動作処理ステップと、前記失火予備動作期間中において前記出力が回復せず、且つ、回転数が所定の閾値以上に上昇した場合に、前記ガスカットを解除して負荷遮断時におけるガス量を供給する遮断処理ステップと、前記失火予備動作期間中において前記出力が回復せず、且つ、前記回転数が上記閾値未満である場合に前記エンジンを停止させるエンジン停止処理ステップと、を有する。
【００１２】
本発明の第５の態様によれば、系統連系運転を行う発電設備のエンジンを制御する制御装置のコンピュータを機能させるプログラムは、前記コンピュータに、出力が所定値以下に低下した場合に、ガスカットを行って所定時間の失火予備動作期間に入る失火予備動作処理ステップと、前記失火予備動作期間中において前記出力が回復せず、且つ、回転数が所定の閾値以上に上昇した場合に、前記ガスカットを解除して負荷遮断時におけるガス量を供給する遮断処理ステップと、前記失火予備動作期間中において前記出力が回復せず、且つ、前記回転数が上記閾値未満である場合に前記エンジンを停止させるエンジン停止処理ステップと、を実行させる。
【発明の効果】
【００１３】
本発明に係る制御装置、発電設備、制御方法、及びプログラムによれば、系統連系運転における失火の検出精度を向上させることができる。
【図面の簡単な説明】
【００１４】
【図１】本発明の一実施形態に係る発電設備の全体構成を示す概略図である。
【図２】本発明の一実施形態に係る制御装置の機能構成を示す図である。
【図３】本発明の一実施形態に係る制御装置における処理の一例を示す第１のフローチャートである。
【図４】本発明の一実施形態に係る制御装置の失火発生時における機能を説明するための図である。
【図５】本発明の一実施形態に係る制御装置における処理の一例を示す第２のフローチャートである。
【図６】本発明の一実施形態に係る制御装置の負荷遮断時における機能を説明するための図である。
【図７】本発明の一実施形態に係る制御装置のノイズ発生時における機能を説明するための図である。
【図８】本発明の一実施形態に係る制御装置のハードウェア構成の一例を示す図である。
【発明を実施するための形態】
【００１５】
以下、本発明の一実施形態に係る発電設備１について、図１〜図８を参照しながら説明する。
【００１６】
（発電設備の全体構成）
図１は、本発明の一実施形態に係る発電設備の全体構成を示す概略図である。
図１に示すように、本実施形態に係る発電設備１は、エンジン１０と、発電機１１と、ガス供給部１２と、制御装置１３とを備えている。
【００１７】
エンジン１０は、ガス供給部１２から供給されたガスを燃焼させることにより、出力軸１４を回転駆動させる内燃機関である。
【００１８】
発電機１１は、出力軸１４を介してエンジン１０と接続されており、出力軸１４から伝達される回転駆動力により発電を行う。
発電機１１は、遮断器１５を介して電力系統２に接続可能とされ、遮断器１６を介して発電設備１が設置された施設（例えばプラント等）内の電気設備３に接続可能とされる。なお、他の実施形態では、電気設備３は省略されてもよい。また、以下の説明において、電力系統２及び電気設備３を「負荷」とも記載する。
【００１９】
遮断器１５が「閉」状態のとき、発電機１１は電力系統２に接続（並列）され、発電した電力が電力系統２に出力（供給）される。このときの発電設備１の運転状態を「系統連系運転」と称する。一方、遮断器１５が「開」状態のとき、発電機１１は電力系統２から切断（解列）され、発電した電力は負荷（電力系統２）に出力されない。このときの発電設備１の運転状態を「負荷遮断運転」と称する。
また、電気設備３がある場合は、遮断器１５が「開」状態、且つ遮断器１６が「閉」状態のとき、発電機１１は電気設備３に接続され、発電した電力が電気設備３に出力されるようにしてもよい。このときの発電設備１の運転状態を「自立運転」と称する。
なお、発電設備１の運転状態（「系統連系運転」、「負荷遮断運転」、又は「自立運転」）の切り替えは、不図示の制御盤により、電力系統２との契約内容（例えば所定の時間帯に電力系統２に電力を供給する等）、停電の発生等に応じて自動的に行われる。また、発電設備１の運転状態の切り替えは、制御盤を介して作業員により手動で行われてもよい。
【００２０】
発電設備１には、複数のセンサが設けられている。例えば、本実施形態では、発電機１１に、「出力（ｋＷ）」を計測する電力計１１Ａと、「回転数（ｍｉｎ−１）」を計測する回転数計測センサ１１Ｂとが設けられている。電力計１１Ａ、回転数計測センサ１１Ｂにより計測された計測値（出力、回転数）を含む信号は、逐次、制御装置１３に送信される。
【００２１】
制御装置１３は、発電機１１の電力計１１Ａ、回転数計測センサ１１Ｂから受信した計測値に基づいて、発電設備１のエンジン１０を制御する。
具体的には、制御装置１３は、発電機１１が定格回転数（例えば「１５００ｍｉｎ−１」）を維持するように、ガス供給部１２に対しガス供給量を変更する制御指令を出力する等のフィードバック制御を行う。
また、制御装置１３は、エンジン１０において失火が発生したことを検出した場合、失火対応運転を行うようエンジン１０を制御する。なお、失火対応運転の詳細については後述する。
【００２２】
（制御装置の機能構成）
図２は、本発明の一実施形態に係る制御装置の機能構成を示す図である。
図２に示すように、本実施形態に係る制御装置１３は、計測値取得部１３１と、失火予備動作処理部１３２と、遮断処理部１３３と、エンジン停止処理部１３４と、回復処理部１３５とを備えている。
【００２３】
計測値取得部１３１は、発電機１１の電力計１１Ａから受信した信号より発電機１１の「回転数（ｍｉｎ−１）」を取得し、回転数計測センサ１１Ｂから受信した信号より発電機１１の「出力（ｋＷ）」を取得する。
【００２４】
失火予備動作処理部１３２は、発電機１１の出力が所定値以下に低下した場合に、ガスカットを行って所定時間の「失火予備動作期間」に入る。
【００２５】
遮断処理部１３３は、失火予備動作期間中において発電機１１の出力が回復せず、且つ、発電機１１の回転数が所定の閾値以上に上昇した場合に、ガスカットを解除して負荷遮断時におけるガス量を供給する。
【００２６】
エンジン停止処理部１３４は、失火予備動作期間中において発電機１１の出力が回復せず、且つ、発電機１１の回転数が所定の閾値未満である場合にエンジン１０を停止させる。
【００２７】
回復処理部１３５は、失火予備動作期間中において発電機１１の出力が回復した場合に、ガスカットを解除して発電設備１を平常運転（通常の系統連系運転）に復帰させる。
【００２８】
（制御装置の処理フロー）
図３は、本発明の一実施形態に係る制御装置における処理の一例を示す第１のフローチャートである。
図４は、本発明の一実施形態に係る制御装置の失火発生時における機能を説明するための図である。
図５は、本発明の一実施形態に係る制御装置における処理の一例を示す第２のフローチャートである。
図６は、本発明の一実施形態に係る制御装置の負荷遮断時における機能を説明するための図である。
図７は、本発明の一実施形態に係る制御装置のノイズ発生時における機能を説明するための図である。
以下、図３〜図７を参照しながら、制御装置１３における系統連系運転時の失火対応運転の一例を説明する。なお、以下の説明では、説明を簡易にするために、発電設備１が「系統連系運転」及び「負荷遮断運転」の何れかを行う前提とする。
【００２９】
まず、制御装置１３は、図３に示す判定処理Ｓ１０を実行する。
図３に示すように、計測値取得部１３１は、発電機１１の電力計１１Ａから発電機１１の「出力（ｋＷ）」を取得する（ステップＳ１００）。
【００３０】
次に、失火予備動作処理部１３２は、発電機１１の出力が所定値以下であるか否かを判定する（ステップＳ１０１）。
系統連系運転時、失火が発生すると発電機１１から負荷（電力系統２）への出力が急激に低下する。失火予備動作処理部１３２は、この出力の低下を検出して失火の可能性の有無を判断する。なお、出力の所定値は、例えば「０ｋＷ」に設定される。
【００３１】
失火予備動作処理部１３２、発電機１１の出力が所定値（「０ｋＷ」）以下である場合（ステップＳ１０１：ＹＥＳ）、失火の可能性があると判断して「失火予備動作」をＯＮにし（ステップＳ１０２）、判定処理Ｓ１０を終了する。
例えば、図４に示すように、時間ｔ１１において失火が発生した場合、発電機１１の出力は急激に「０ｋＷ」まで低下する。そうすると、失火予備動作処理部１３２は、時間ｔ１１において出力が所定値以下になったので（図３のステップＳ１０１：ＹＥＳ）、失火の可能性ありと判断して「失火予備動作」をＯＮにする（図３のステップＳ１０２）。
【００３２】
一方、失火予備動作処理部１３２は、発電機１１の出力が所定値よりも大きい場合（ステップＳ１０１：ＮＯ）、判定処理Ｓ１０を終了する。
例えば、図４に示すように、時間ｔ１０から時間ｔ１１までの期間では失火は発生しておらず、発電機１１の出力は所定値よりも大きい。このため、失火予備動作処理部１３２は、失火の可能性はないと判断して、判定処理Ｓ１０を終了する。
【００３３】
また、制御装置１３は、図３の判定処理Ｓ１０と並行して、図５の失火対応処理Ｓ２０を実行する。
図５に示すように、失火予備動作処理部１３２は、「失火予備動作」がＯＮであるか否かを判断する（ステップＳ２００）。
【００３４】
「失火予備動作」がＯＮである場合（ステップＳ２００：ＹＥＳ）、失火予備動作処理部１３２は、ステップＳ２０１〜Ｓ２０２の失火予備動作を実行する。
具体的には、失火予備動作処理部１３２は、タイマのカウントを開始して（ステップＳ２０１）、所定時間の「失火予備動作期間」に入る。
発電機１１は、例えば電力系統２から切断（解列）されて「負荷遮断運転」となると、出力が「０ｋＷ」となる。また、発電機１１の電力計１１Ａから送信される信号にノイズが印加された場合、計測値取得部１３１が一時的に不正な計測値（「０ｋＷ」）を取得してしまう場合がある。このため、失火予備動作処理部１３２は、出力の低下が、失火によるものであるか、失火以外の原因によるものであるか確定するための期間として、失火予備動作期間を設けている。なお、所定時間は、以下の説明において、「確定時間Ｐ」とも記載する。本実施形態では、確定時間Ｐとして、例えば「５０ｍｓ」が設定される。また、他の実施形態では、確定時間Ｐとして異なる値が設定されてもよい。このとき、確定時間Ｐを「３０ｍｓ」未満にすると、ノイズと失火との判別が困難になるため、失火判定の精度が低下する可能性がある。したがって、確定時間Ｐは「３０ｍｓ」以上であることが望ましい。
【００３５】
また、失火予備動作処理部１３２は、失火予備動作としてガスカットを実行する（ステップＳ２０２）。
ガスカットとは、失火予備動作処理部１３２がガス供給部１２に対し、エンジン１０へのガスの供給を停止する（ガス供給量を「０」にする）制御指令を出力する処理である。これにより、図４に示すように、エンジン１０へのガスの供給は時間ｔ１１の時点で一時的に停止される。
このようにすることで、失火予備動作処理部１３２は、出力が所定値以下となり失火の可能性があると判断されるときは、早期に失火予備動作であるガスカットを実行する。これにより、失火予備動作処理部１３２は、ガスの過供給により発電設備１の機器が破損する危険性を大幅に低減させることができる。
【００３６】
一方、「失火予備動作」がＯＮではない場合（ステップＳ２００：ＮＯ）、失火予備動作処理部１３２は失火対応処理Ｓ２０を終了する。
【００３７】
また、「失火予備動作」がＯＮである場合（ステップＳ２００：ＹＥＳ）、計測値取得部１３１は、発電機１１の電力計１１Ａ及び回転数計測センサ１１Ｂから、発電機１１の「出力（ｋＷ）」及び「回転数（ｍｉｎ−１）」を取得する（ステップＳ２０３）。
【００３８】
計測値取得部１３１が発電機１１の出力及び回転数を取得すると、制御装置１３の各処理部（遮断処理部１３３、エンジン停止処理部１３４、及び回復処理部１３５）は、出力の低下が「負荷遮断」によるものであるか、「ノイズ」によるものであるか、「失火」によるものであるかを判断する。
具体的には、制御装置１３の各処理部は、以下のような判断を実行する。
【００３９】
まず、出力低下の原因が「負荷遮断」であった場合について説明する。
例えば、図６に示すように、時間ｔ２１において発電機１１が電力系統２から切断（負荷遮断）されて「負荷遮断運転」に切り替わったとする。そうすると、負荷遮断により発電機１１の出力は「０ｋＷ」に低下するため、失火予備動作処理部１３２は失火の可能性ありと判断して、「失火予備動作」をＯＮにする（図３のステップＳ１０２）。また、失火予備動作処理部１３２は図５のステップＳ２０１〜Ｓ２０２の失火予備動作を行い、その結果、図６の時間ｔ２１以降、ガスカットによりガス供給量が「０」に低下する。
このとき、負荷遮断に伴い発電機１１の回転数が一時的に上昇する。
【００４０】
遮断処理部１３３は、発電機１１のこのような挙動を前提として、発電機１１の回転数が閾値以上となったか否かを判断する（ステップＳ２０５）。例えば、図６に示すように、時間ｔ２２において発電機１１の回転数が閾値以上となった場合（ステップＳ２０５：ＹＥＳ）、遮断処理部１３３は失火ではなく負荷遮断であると判定する（ステップＳ２０６）。なお、回転数の閾値は発電機１１の機種に応じて任意に設定されるものとする。
【００４１】
負荷遮断であると判定すると、遮断処理部１３３は、ステップＳ２０７〜Ｓ２０８の失火予備動作の終了処理を実行する。
【００４２】
具体的には、遮断処理部１３３は、ガスカットを解除して、ガス供給部１２に対し、負荷遮断運転時におけるガス供給量を指示する制御指令を出力する（ステップＳ２０７）。このように、遮断処理部１３３は、負荷遮断による出力低下であった場合は、ガスカットを解除してエンジン１０を平常運転（負荷遮断運転）に復帰させるので、ガスカットによる出力低下等の影響が増大することを抑制できる。
【００４３】
また、遮断処理部１３３は、「失火予備動作」をＯＦＦして「失火予備動作期間」を終了するとともに（ステップＳ２０８）、失火対応処理Ｓ２０を終了する。
【００４４】
次に、出力低下の原因が「失火」であった場合について説明する。
例えば図４に示すように、時間ｔ１１において失火が発生して出力が「０ｋＷ」になったとする。そうすると、失火予備動作処理部１３２は失火の可能性ありと判断して、「失火予備動作」をＯＮにする（図３のステップＳ１０２）。また、失火予備動作処理部１３２は図５のステップＳ２０１〜Ｓ２０２の失火予備動作を行い、その結果、図４の時間ｔ１１以降、ガスカットによりガス供給量が「０」に低下する。
このとき、発電機１１は電力系統２に接続されたままであるので、電力系統２から発電機１１に電力が供給されてしまい、図４の時間ｔ１１以降も回転数は定格回転数に維持される。
【００４５】
エンジン停止処理部１３４は、発電機１１のこのような挙動を前提として、発電機１１の出力が所定値以下であり、且つ、回転数が閾値未満である場合（ステップＳ２０５：ＮＯ）、失火の可能性ありと判断する。なお、本実施形態に係るエンジン停止処理部１３４は、ノイズによる一時的な出力の低下との判別を行うために、更にタイマの値が確定時間Ｐ以上となったかを判断する（ステップＳ２０９）。
【００４６】
エンジン停止処理部１３４は、図４の時間ｔ１２において、出力が所定値以下（ステップＳ２０４：ＹＥＳ）、且つ、回転数が閾値未満である状態（ステップＳ２０５：ＮＯ）が確定時間Ｐ以上継続した場合（ステップＳ２０９：ＹＥＳ）、ノイズによる一時的な出力の低下ではなく、失火が発生したと判定する（ステップＳ２１０）。
【００４７】
失火が発生したと判定すると、エンジン停止処理部１３４は、エンジン１０を停止させる制御指令を出力する（ステップＳ２１１）。このように、図４の時間ｔ１２においてエンジン１０が停止されると、回転数は徐々に低下していく。
【００４８】
一方、エンジン停止処理部１３４は、タイマの値が確定時間Ｐ未満である場合（ステップＳ２０９：ＮＯ）、ステップＳ２０３に戻り、発電機１１の出力及び回転数の監視を継続する。
【００４９】
次に、出力低下の原因が「ノイズ」であった場合について説明する。
例えば図７に示すように、時間ｔ３１において電力計１１Ａから送信された信号にノイズが印加され、計測値取得部１３１が誤った計測値（出力＝「０ｋＷ」）を取得したとする。そうすると、失火予備動作処理部１３２は発電機１１の出力が「０ｋＷ」に低下したと判断して、失火予備動作を行う（ステップＳ２０１〜Ｓ２０２）。
このとき、実際には発電機１１は平常運転（系統連系運転）を継続しているため、回転数は定格回転数に維持されている。
【００５０】
回復処理部１３５は、発電機１１のこのような挙動を前提として、発電機１１の出力が所定値以下のままであるか回復したかを判断する（ステップＳ２０４）。例えば、図７に示すように、時間ｔ３２において出力が所定値以下ではなくなった場合（ステップＳ２０４：ＮＯ）、即ち、出力が回復した場合、回復処理部１３５は失火ではなくノイズによる誤検出であると判定する（ステップＳ２１２）。
【００５１】
ノイズであると判定すると、回復処理部１３５は、ステップＳ２１３〜Ｓ２１４の失火予備動作の終了処理を実行する。
【００５２】
具体的には、回復処理部１３５は、ガスカットを解除して、ガス供給部１２に対し、系統連系運転の平常運転時（負荷接続時）におけるガス供給量を指示する制御指令を出力する（ステップＳ２１３）。
このように、回復処理部１３５は、出力低下がノイズによる誤検出であった場合は、ガスカットを解除してエンジン１０を平常運転に復帰させるので、ガスカットによる出力低下等の影響が増大することを抑制できる。例えば、図７に示すように、時間ｔ３１〜ｔ３２におけるガスカットの影響が、時間ｔ３２以降に遅れて生じる可能性がある。しかしながら、回復処理部１３５は、ノイズであると判定されれば直ちにガスカットを解除するので、その影響が大きくなることを抑制できる。
【００５３】
また、回復処理部１３５は、「失火予備動作」をＯＦＦして「失火予備動作期間」を終了するとともに（ステップＳ２１４）、失火対応処理Ｓ２０を終了する。
【００５４】
制御装置１３は、上述の判定処理Ｓ１０（図３）と失火対応処理Ｓ２０（図５）を常に繰り返し実行する。これにより、制御装置１３は、系統連系運転時に失火の発生を早期に検出することができるとともに、失火の発生を検出した場合は失火対応運転を行って機器の故障を抑制することができる。
また、制御装置１３は、失火対応処理Ｓ２０（図５）のステップＳ２０４〜Ｓ２１４において、出力低下が失火によるものであるか、失火以外の原因によるものであるかを判定するため、失火を判定する精度を更に向上させることができる。
【００５５】
（制御装置のハードウェア構成）
図８は、本発明の一実施形態に係る制御装置のハードウェア構成の一例を示す図である。
以下、図８を参照して、制御装置１３のハードウェア構成の一例について説明する。
図８に示すように、コンピュータ９００は、ＣＰＵ９０１、主記憶装置９０２、補助記憶装置９０３、インタフェース９０４を備える。
上述の制御装置１３は、コンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、制御装置１３が各種処理に用いる記憶領域を主記憶装置９０２に確保する。また、ＣＰＵ９０１は、プログラムに従って、処理中のデータを記憶する記憶領域を補助記憶装置９０３に確保する。
【００５６】
補助記憶装置９０３の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。補助記憶装置９０３は、コンピュータ９００のバスに直接接続された内部メディアであってもよいし、インタフェース９０４又は通信回線を介してコンピュータ９００に接続される外部メディアであってもよい。また、このプログラムが通信回線によってコンピュータ９００に配信される場合、配信を受けたコンピュータ９００が当該プログラムを主記憶装置９０２に展開し、上記処理を実行してもよい。少なくとも１つの実施形態において、補助記憶装置９０３は、一時的でない有形の記憶媒体である。
【００５７】
また、当該プログラムは、前述した機能の一部を実現するためのものであってもよい。
更に、当該プログラムは、前述した機能を補助記憶装置９０３に既に記憶されている他のプログラムとの組み合わせで実現するもの、いわゆる差分ファイル（差分プログラム）であってもよい。
【００５８】
（作用効果）
以上のように、本実施形態に係る制御装置１３は、系統連系運転を行う発電設備１のエンジン１０を制御する制御装置１３であって、出力が所定値以下に低下した場合に、ガスカットを行って所定時間の失火予備動作期間に入る失火予備動作処理部１３２と、失火予備動作期間中において出力が回復せず、且つ、回転数が所定の閾値以上に上昇した場合に、ガスカットを解除して負荷遮断時におけるガス量を供給する遮断処理部１３３と、失火予備動作期間中において出力が回復せず、且つ、回転数が所定の閾値未満である場合にエンジン１０を停止させるエンジン停止処理部１３４と、を備える。
このようにすることで、制御装置１３は、出力が低下して失火の可能性がある場合は、ガスカットを行うことにより、エンジン１０へのガス供給が過剰となり発電設備１の機器が故障してしまうことを早期に抑制することができる。
また、制御装置１３は、失火予備動作期間中に回転数及び出力を監視することにより、出力の低下が負荷遮断によるものであるのか、失火によるものであるのかを判別することができるので、系統連系運転における失火の検出精度を向上させることができる。これにより、制御装置１３は、負荷遮断時はガスカットを解除して発電設備１の運転を継続させることができるとともに、失火発生時はエンジン１０を安全に停止させることができる。
【００５９】
また、制御装置１３は、失火予備動作期間中において出力が回復した場合に、ガスカットを解除して平常運転に復帰させる回復処理部１３５を更に備える。
このようにすることで、制御装置１３は、失火予備動作期間中に出力が回復した場合は、ノイズ等の失火以外の原因による一時的な出力低下であったと判断し、ガスカットを解除して平常運転に復帰させることができる。これにより、制御装置１３は、出力の低下が失火によるものであるか、失火以外の原因による一時的なものであるかを精度よく判別して、発電設備１が誤って停止されることを抑制することができる。また、制御装置１３は、失火発生の可能性があると判断した時点でガスカットによる失火予備動作を行い、失火ではないと判断できてからガスカットを解除することにより、失火であるか否かが確定するまでの期間においてガスの供給過剰で発電設備１の機器が故障してしまうことを抑制することができる。
【００６０】
以上、本発明の実施形態について詳細に説明したが、本発明の技術的思想を逸脱しない限り、これらに限定されることはなく、多少の設計変更等も可能である。
【符号の説明】
【００６１】
１  発電設備
２  電力系統
１０  エンジン
１１  発電機
１１Ａ  電力計
１１Ｂ  回転数計測センサ
１２  ガス供給部
１３  制御装置
１３１  計測値取得部
１３２  失火予備動作処理部
１３３  遮断処理部
１３４  エンジン停止処理部
１３５  回復処理部
１４  出力軸
１５、１６  遮断器
【図１】
2019196763.tif 000003
【図２】
2019196763.tif 000004
【図３】
2019196763.tif 000005
【図４】
2019196763.tif 000006
【図５】
2019196763.tif 000007
【図６】
2019196763.tif 000008
【図７】
2019196763.tif 000009
【図８】
2019196763.tif 000010